(57)【特許請求の範囲】
【請求項１】
遊技球を発射する発射装置と、
遊技者が前記遊技球の発射勢を調整するための操作ハンドルの回転部材と、
前記遊技機の前面部から遊技者側に突き出して設けられ、前記遊技者が触れることができる灰皿取付部と、
前記灰皿取付部に開閉可能に取り付けられ、前記遊技者が触れることができる灰皿と、
前記回転部材に前記遊技者が触れていると判断したときに、第１オン信号を出力する第１検出手段と、
前記灰皿取付部または前記灰皿のうち少なくとも一方に前記遊技者が触れていると判断したときに、第２オン信号を出力する第２検出手段と、
前記第１検出手段及び前記第２検出手段に接続され、前記第１オン信号と前記第２オン信号の少なくとも一方が入力されていると判断した場合に限り、前記回転部材の調整に応じて前記発射装置を駆動する制御手段と、
を備えたことを特徴とする遊技機。
【発明の詳細な説明】
【０００１】
【発明の属する技術分野】
本発明は、各種入賞装置や入賞口を設けた遊技領域に遊技球を弾発するように構成した遊技機に関し、特に、遊技者が遊技球の発射勢を調整する発射力調整手段又は遊技機の前面部下方に設けられる所定部材の少なくともいずれか一方に触れている場合に限り、該発射力調整手段の調整に応じて遊技球が弾発されることによって、遊技者が発射力調整手段に触れていることを検出できない場合でも、遊技者が所定部材に触れていれば遊技を続行することができる遊技機に関するものである。
【０００２】
【従来の技術】
従来より、パチンコ機等の遊技機においては、遊技球の発射勢を調整する操作ハンドルに遊技者が触れていることを検出するための検出手段が設けられる遊技機が種々提案されている。
【０００３】
例えば、特開平５−３１２２６号公報に記載された遊技機の操作ハンドルでは、前方握手部材１６は、後方が開成する中空の半球状に形成してあり、その前面側の外表面にはメッキ処理等を施すことによって導電性の薄膜を形成してある。そして、この前方握手部材１６に人体が接触しているか否かを導通の有無で判定するためのタッチプレートを構成する。また、この前方握手部材１６の内側面に形成される連結板受部１６ａには、導電性部材によって形成される連結板３０が該前方握手部材１６の表面側からビス等で止着されている。また、この連結板３０には、可変抵抗器取付部材２３の鍔部２４に形成される下部挿通孔２３ｂ、可変抵抗器２１の下側、及び、後方握手部材１３の配線挿通孔１３ｂを介して前面枠２の背面側に導出されるタッチ配線３１がビス止め等により接続されている。
これにより、前方握手部材１６の外表面に形成したタッチプレートが連結板３０を介してタッチ配線３１と接続され、該タッチ配線３１からタッチ情報が入力されることによって、弾発射機構９の弾発動作が可能な状態になる。また、前方握手部材１６のタッチプレートから連結板３０を介してタッチ配線３１と接続することで、回動操作部材１５の回動動作に影響されることなく、タッチ情報の送信路は定位置に保持されるので、タッチプレートとタッチ配線との接続部に接触不良が生じず、操作ハンドル１１の信頼性を向上させ得る。
【０００４】
【発明が解決しようとする課題】
上述した特開平５−３１２２６号公報に記載された遊技機の操作ハンドルにおいては、前方握手部材１６にタッチ配線３１を介して接続されるタッチ検出回路によって該前方握手部材１６に遊技者が触れていることを検出している。従来、このようなタッチ検出回路は、遊技機の操作ハンドルに遊技者が触れることにより発生する静電容量等の電気的変化に基づいて、遊技者が触れているか否かを検出している。しかしながら、遊技者が手に絆創膏等を巻いている場合には、操作ハンドルに遊技者が触れることにより発生する静電容量等の電気的変化が導電率の変化などにより設定量以下となり、この操作ハンドルに遊技者が触れていることを検出できず、遊技をすることができなくなるという問題がある。
【０００５】
そこで、本発明は、上述した問題点を解決するためになされたものであり、遊技者が遊技球の発射勢を調整する発射力調整手段又は遊技機の前面部下方等に設けられる所定部材の少なくともいずれか一方に触れている場合に限り、該発射力調整手段の調整に応じて遊技球が弾発されることによって、遊技者が発射力調整手段に触れていることを検出できない場合でも、遊技者が所定部材に触れていれば遊技を続行することができる遊技機を提供することを目的とする。
【０００６】
【課題を解決するための手段】
前記目的を達成するため請求項１に係る遊技機は、遊技球を発射する発射装置と、遊技者が前記遊技球の発射勢を調整する操作ハンドルの回転部材と、前記遊技機の前面部から遊技者側に突き出して設けられ、前記遊技者が触れることができる灰皿取付部と、前記灰皿取付部に開閉可能に取り付けられ、前記遊技者が触れることができる灰皿と、前記回転部材に前記遊技者が触れていると判断したときに、第１オン信号を出力する第１検出手段と、前記灰皿取付部または前記灰皿のうち少なくとも一方に前記遊技者が触れていると判断したときに、第２オン信号を出力する第２検出手段と、前記第１検出手段及び前記第２検出手段に接続され、前記第１オン信号と前記第２オン信号の少なくとも一方が入力されていると判断したときに、前記回転部材の調整に応じて前記発射装置を駆動する制御手段とを備えたことを特徴とする。
【０００７】
このような特徴を有する請求項１に係る遊技機においては、遊技球の発射勢を調整するハンドルの回転部材と、遊技機の遊技者側の前面部に遊技者が触れることができるように設けられる灰皿取付部の押え部とが設けられている。そして、前記操作ハンドルの回転部材、または。前記灰皿取付部または灰皿の少なくとも一方を遊技者が触っているときに、前記回転部材の調整に応じて前記発射装置が駆動され、遊技球を発射することができる。
これにより、操作ハンドルに触れている遊技者の手に絆創膏等が巻かれているために、当該操作ハンドルに触れていることが検出されない場合にも、遊技者は絆創膏等が巻かれていない手で灰皿取付部または灰皿の少なくとも一方に触れることにより、遊技者は遊技を行うことができる。
【０００８】
【０００９】
【００１０】
【００１１】
【００１２】
【００１３】
【００１４】
【００１５】
【００１６】
【発明の実施の形態】
以下、本発明に係る遊技機をパチンコ機について具体化した第１及び第２実施形態を図面を参照して詳細に説明する。
先ず、第１実施形態に係るパチンコ機の全体構成について図１乃至図３に基づき説明する。図１は第１実施形態に係るパチンコ機全体を示した斜視図である。図２は第１実施形態に係るパチンコ機全体を示した正面図である。図３は第１実施形態に係るパチンコ機全体を示した背面斜視図である。尚、図１では遊技領域上のゲート等の構造物を省略して示す。
【００１７】
図１および図２に示すように、このパチンコ機１は、後述する入賞口、電動役物及びゲート等の各種構造物が遊技盤２上に配設されており、遊技盤２上の遊技領域Ａにパチンコ球が発射され、遊技領域Ａをパチンコ球が転動落下して入賞口に入賞した場合に、賞球の払い出しを行う。
その遊技盤２の下側には、賞球を受ける上部受け皿３が配設されている。この遊技盤２と上部受け皿３との間には、前方側に突き出るプレート４が配設されており、このプレート４には、遊技に応じた音等をパチンコ機１外へ流すことができる一対の外部スピーカ４ａが内蔵されている。そして、一対の外部スピーカ４ａの間には、特別図柄表示装置としてのＬＣＤ表示器４ｂが配設されおり、このＬＣＤ表示器４ｂは、遊技盤２以外であって遊技盤２の下方の前面側のほぼ中央位置に、その裏面側から前面側へ向かって取り付けられている。そして、このＬＣＤ表示器４ｂは、左側変動図柄、中央変動図柄、右側変動図柄を背景図柄上で表示する液晶パネルであり、ＬＣＤ表示器４ｂの左側、中央、右側にそれぞれ表示された図柄が変動しながら順番に停止し、全てが停止した状態で全体として所定の図柄（例えば「７７７」等）を構成すると、遊技者にとって有利な遊技状態であるいわゆる「大当たり」となる。
【００１８】
このようにＬＣＤ表示器４ｂは、遊技盤２以外の前面側中央に配置されたので、遊技者の近くにあり、遊技者にとってはＬＣＤ表示器４ｂが見やすくなる。また、一対の外部スピーカ４ａがＬＣＤ表示器４ｂの両側方に配置されているので、外部スピーカ４ａから発せられる音が、ＬＣＤ表示器４ｂを見る遊技者に向かって直接的に伝わることになり、遊技者の興趣を増大させることができる。更に、ＬＣＤ表示器４ｂは高価であって、リサイクルの観点からも積極的に再利用しようとする要望があるが、このパチンコ機１の場合、遊技領域２以外に配置されたＬＣＤ表示器４ｂは、遊技領域Ａ内を転動落下するパチンコ球による衝撃を受けないので、劣化しにくく再利用しやすくなる。
【００１９】
また、そのＬＣＤ表示器４ｂの下方に位置する上部受け皿３の下側には、賞球を受ける大きめの下部受け皿５が配設されている。その上部受け皿３の上方右側には、上部受け皿３に溜まったパチンコ球を下部受け皿５に落下させるための球抜きレバー３ａが配設されており、遊技者等が球抜きレバー３ａを操作すると、上部受け皿３にあるパチンコ球がパチンコ機１内部のパチンコ球通路（図示せず）を介して下部受け皿５に落下することになる。
また、下部受け皿５の右方側には、操作ハンドル６に連結された発射装置６Ａ（図３参照）が配設されており、上部受け皿３の遊技球がパチンコ機１内部のパチンコ球通路（図示せず）を介して発射装置６Ａへ送られるように構成されている。また、下部受け皿５の左方側で、パチンコ機１の左右方向の中心線に対して操作ハンドル６のほぼ対称な位置には、パチンコ機の前面部から遊技者側に突き出して設けられる灰皿取付部７Ａに開閉可能式の灰皿７が取り付けられている。また、この灰皿７を閉じた場合には、外観形状が操作ハンドル６とほぼ同じ形状となる。また、後述のように灰皿取付部７Ａの表面に電気的に導通するように該灰皿取付部７Ａの内側面に一端が取り付けられる第２タッチ配線７Ｂの他端は、該灰皿取付部７Ａの内側後方部から遊技機の前面パネルの裏側に引き出されて、該前面パネルの裏側面に配設されつつ、後述の操作ハンドル６に取付けられる第１タッチ配線５９Ｂ（図４参照）と共に、発射装置６Ａの発射モータ２９（図６参照）を駆動制御する駆動回路部６Ｂ（図３、図６参照）の接触検出回路３０Ｂ（図６参照）に接続されている。
【００２０】
一方、遊技盤２の左右上方側には、左右方向に配設されている多数の発光ＬＥＤ８が上下方向に設けられている。また、遊技盤２の前側は、ガラス扉９により被覆されており、ガラス扉９はその側方（左）側に設けられたヒンジ部材等を介して開閉自在に支持されている。
そして、ヒンジ部材等の反対側（右）側には、鍵穴９ａが設けられており、遊技店の管理者等が鍵を鍵穴９ａに挿入して回転操作して、ロックを解除することにより、ガラス扉９を前方側へ開くことができる。尚、ガラス扉９が前方側へ開放されたことを検出するため、検出スイッチ（図示せず）が設けられており、ガラス扉９が前方側へ開放された場合には、該検出スイッチを介して右側の発光ＬＥＤ８のみを点灯させることにより、その旨を遊技店の管理者等に報知できる。
【００２１】
また、ＬＣＤ表示器４ｂの下方に位置する下部受け皿５の前方側には、遊技者個人用聴取器としてのイヤホンを装着するための接続端子１０が設けられている。この接続端子１０にイヤホンの入力端子を接続した場合、遊技者は、イヤホンを耳に当てることによりイヤホンを介して遊技に応じた効果音等を聴くことができ、外部からの騒音を避けた状態でパチンコの遊技ができる。
更に、下部受け皿５の前方側の接続端子１０とＬＣＤ表示器４ｂとの間には、遊技者がイヤホンを介して遊技に応じた音等を聴く際の、その音量を調整できる音量調整用操作部材１１が配設されている。この場合、音量調整用操作部材１１はタッチ型であって、遊技者等が音量調整用操作部材１１の左側のボタンを押すことによって音量が小さくなり、該音量調整用操作部材１１の右側のボタンを押すことによって音量が大きくなるため、その音量を調整でき、遊技者はイヤホンを介して遊技に応じた音等を所望の音量で聴くことができる。このように音量調整用操作部材１１が、遊技盤２以外に配置されたＬＣＤ表示器４ｂ及び接続端子１０の双方に近接して配設されたので、音量調整用操作部材１１の音量調整用の操作が容易になる。もっとも、音量調整用操作部材１１はタッチ型に限定される訳ではなく、例えば音量の「大」、「中」及び「小」を選択できるスイッチやツマミを左右方向に移動させて音量を調整するリニヤ型等であっても良いし、その他の構成であっても良い。
【００２２】
また、下部受け皿５の前面部下方には、透明な窓部５ｂが形成されて内部のパチンコ球の有無を確認することができる。また、前記接続端子１０と該窓部５ｂとの間には、下部受け皿５内のパチンコ球を落下させるための球抜きダイヤルレバー５ａが配設されており、球抜きダイヤルレバー５ａを一方向に操作すると、下部受け皿５の下面に形成される球抜き穴（不図示）が開放されて、下部受け皿５内にあるパチンコ球がパチンコ機１の下方に置いた受け皿（図示せず）に落下することになる。一方、球抜きダイヤルレバー５ａを反対方向に操作すると、下部受け皿５の下面に形成される球抜き穴が閉じて、下部受け皿５内にパチンコ球を溜めることができる。尚、下部受け皿５内には、賞球のオーバーフローを検出するための検出スイッチ（図示せず）が設けられており、該下部受け皿５内の賞球がオーバーフローした場合には、該検出スイッチを介して遊技盤２の左側の発光ＬＥＤ８のみが周期的に点滅されて、その旨が遊技店の管理者等に報知される。
【００２３】
次に、パチンコ機１における遊技盤２の遊技領域Ａの構成について、図２を参照して説明する。この遊技領域Ａ内には、従来のパチンコ機と異なって、図柄変動装置としてのＬＣＤ表示器４ｂがないため、遊技領域Ａが広く使え、遊技領域Ａにおける始動入賞口、風車等の構造物の配置等の設計自由度を高めることができる。
この場合、所定厚さの板材からなる遊技盤２上に設けられた各構造物を囲むように、環状のレール１２が遊技盤２上に立設されており、このレール１２は、発射されたパチンコ球を遊技領域Ａ内に案内する案内路を構成している。
また、遊技領域Ａ内の上方左右には、２個の風車１３がそれぞれ配設され、これら風車１３の間の下方には、入賞口１４が配設されている。また、これら２個の風車１３の下方には、２個の入賞口１５、１６が配設され、これら２個の入賞口１５、１６の間の下方には、始動口１７が配設されている。また、遊技領域Ａ内の側方における２個の入賞口１５、１６の左右には、電飾部材１８、１９が配設されている。また、始動口１７の下方左右には、２個のゲート２０、２１が配設され、これらゲート２０、２１の左右下方には、２個の入賞口２２、２３が配設されている。そして、始動口１７、ゲート２０、２１及び入賞口２２、２３の下方には、大入賞口２４及びこの大入賞口２４の左右に位置する入賞口２５、２６を有する特別電動役物２７が配設されており、この大入賞口２４は、ＬＣＤ表示器４ｂにおいて変動図柄が揃って大当りが発生したとき等に上方に開口する横幅が広い開閉扉２４ａを有している。
【００２４】
そして、大入賞口２４、入賞口１４、１５、１６、２２、２３、２５、２６の遊技盤２の裏面には、パチンコ球を流す賞球樋（不図示）が設けられている。また、この賞球樋には、大入賞口２４、入賞口１４、１５、１６、２２、２３、２５、２６に入ったパチンコ玉を検出する入賞口スイッチ（図示せず）が、遊技盤２の裏側に設けられている。そして、入賞口スイッチがパチンコ球の入賞を検出すると、所定個数の賞球が上部受皿３に排出される。
また、始動口１７の遊技盤２の裏面には、パチンコ球を流す賞球樋が設けられており、この始動口１７に入ったパチンコ玉を検出する始動口スイッチ（図示せず）が遊技盤２の裏側に設けられている。そして、この始動口１７に入賞したパチンコ球を始動口スイッチが検出すると、所定の個数の賞球が上部受皿３に排出されるとともに、ＬＣＤ表示器４ｂに表示される複数の変動図柄がそれぞれ上下変動を開始する。
【００２５】
そして、始動口１７にパチンコ球が入り、ＬＣＤ表示器４ｂの背景画面の、左側、中央、右側にそれぞれ表示された図柄が変動した後に、所定の表示状態に達成した場合（例えば、「７７７」のように揃った場合等）に大入賞口２４の開閉扉２４ａが上方に開口するように構成されている。
この大入賞口２４内には、開閉扉２４ａが上方に開口したときに入賞したパチンコ球の個数をカウントするための大入賞口カウントスイッチ（図示せず）が設けられており、大入賞口カウントスイッチがカウントしたパチンコ球の個数に対応する分の所定の個数の賞球が、上部受皿３に排出されるように構成されている。この場合、大入賞口２４の開閉扉２４ａは、２５秒間経過又は１０個のパチンコ球の入賞が大入賞口カウントスイッチにより検出されるまで開放される。更に、大入賞口２４の内部には、遊技者にとって有利な遊技状態を所定回数継続するためのいわゆる「Ｖゾーン」が仕切り形成されており、当該Ｖゾーンへの入賞検出用のＶスイッチ（図示せず）が設けられている。
また、ゲート２０、２１には、パチンコ球の通過を検出する検出スイッチ（図示せず）が備えられ、この検出スイッチがパチンコ球の通過を検出することにより、ＬＣＤ表示器４ｂに設けられた普通図柄表示部４ｂ１の表示が変化しながら所定の数字等を表示する。普通図柄表示部４ｂ１が停止した状態が所定の図柄（例えば「７７」等）を構成する場合に、遊技者にとって有利な遊技状態である「通常当たり遊技状態」となる。また、ＬＣＤ表示器４ｂ内の上方部には、保留されている変動図柄の始動回数を遊技者に知らせるための、４個の保留回数表示部４ｂ２が設けられている。
【００２６】
また、図３に示すように、パチンコ機１は、木製の外枠３１に対して前面枠３２がヒンジ部材等を介して開閉自在に取り付けられている。また、この前面枠３２のほぼ中央部には、遊技盤２が着脱可能なように取り付けられている。そして、この前面枠３２の裏側には合成樹脂製の機構セット盤３３が着脱可能に蝶番等により取り付けられている。
【００２７】
パチンコ機１の裏側上部には、上方に開口した賞球タンク３４が機構セット盤３３に固定されている。この賞球タンク３４は、傾斜した底面に連通孔（不図示）が形成され、その連通孔の下方にはパチンコ球を２列に整列流出し得る傾斜したタンクレール３５が取付けられている。
【００２８】
また、賞球ケース３６へパチンコ球を案内する賞球案内部３７内には、タンクレール３５の下流側のパチンコ球を案内する２列の賞球通路（不図示）が形成されている。
また、賞球ケース３６には、各タンクレール３５、賞球通路を通過するパチンコ球の数を確認する確認スイッチ３６Ａ、パチンコ球の送り出しを調節する払い出しソレノイド３６Ｂ等（いずれも図６参照）が内装されている。そして、これら賞球タンク３４、タンクレール３５、賞球案内部３７、賞球ケース３６、確認スイッチ３６Ａ、及び払い出しソレノイド３６Ｂ等により賞球払出システムが構成されている。
【００２９】
そして、賞球ケース３６の下流側には排出部が形成され、下部受け皿満タンスイッチ（図示せず）が内装された排出路３８が形成されている。また、この排出路３８の前方側は下部受け皿５に接続され、上部受け皿３から溢れた賞球やファール球を受けて下部受け皿５に案内している。
【００３０】
また、機構セット盤３３上には、主基板ボックス３９内に収納される主基板４０が、遊技盤裏面を覆う透明なＡＢＳ等の樹脂製のセンターカバー４１の背面に装着された状態で固定されている。この主基板４０には、パチンコ機１の遊技動作などを制御する制御回路が構成されている。
【００３１】
また、主基板４０の下方左側には、発光ＬＥＤ８や電飾部材１８、１９の電飾ランプＷ１（図６参照）等を制御する制御回路を構成するランプ制御基板４２が収納されるランプ基板ボックス４３が配設されている。
また、主基板４０の下方右側には、外部スピーカ４ａから出力される効果音等を制御する制御回路を構成する音制御基板４４が収納される音基板ボックス４５が配設されている。
【００３２】
また、音基板ボックス４５の下方には、ＬＣＤ表示器４ｂの表示画像等を制御する表示制御回路を構成する表示制御基板４６と、賞球払い出し等を制御する制御回路を構成する賞球制御基板４７とが収納されるコントロールボックス４８が取り付けられている。
【００３３】
また、コントロールボックス４８の左側には、供給されるパチンコ球を連続的に不図示のカム機構や発射モータ２９等を介して弾発する発射装置６Ａと、この発射装置６Ａを駆動制御する駆動回路部６Ｂとから構成される発射装置ユニット４９が設けられている。また、後述のように、該駆動回路部６Ｂは、第１タッチ配線５９Ｂ（図４参照）と第２タッチ配線７Ａ（図２、図５参照）とを介して遊技者が操作ハンドル６の回転部材５４又は灰皿取付部７Ａの押え部７４（図５参照）に触れている場合に限り、操作ハンドル６の内部に取り付けられる可変抵抗器５０（図４参照）の抵抗値変化に基づいて発射モータへの供給電力が調節され、パチンコ球の発射勢を強めたり、弱めたりすることが可能なように構成されている。これにより、遊技者が操作ハンドル６における回転部材５４（図４参照）の回動量を調節することによって、可変抵抗器５０の抵抗値が増減され、発射装置６Ａによるパチンコ球の発射勢の加減を適宜行うことができる。
【００３４】
さらに、機構セット盤３３の上方角部（図３中、右上角部）には、中継基板３０が設けられている。この中継基板３０は、パチンコ機１とホールコンピュータをつなぐ基板である。
【００３５】
次に、下部受け皿５の右側下方に設けられる操作ハンドル６の概略構造について図４に基づいて説明する。図４は第１実施形態に係るパチンコ機１の操作ハンドル６及びその取付部を模式的に示す上側方向から見た要部拡大部分断面図である。
図４に示すように、操作ハンドル６は、パチンコ機１の前面の平板部５１に形成された操作ハンドル保持部５２に対して、前カバー部材５３を固定的に保持させるとともに、前カバー部材５３にて略円板状の回転部材５４を回転可能に設けることにより構成されている。
【００３６】
ここに、操作ハンドル保持部５２は、平板部５１の前面側（図４の左側方向）に向かって突出形成された円筒状の支持部５５、及び、支持部５５の径よりも大径を有し支持部５５に連続して形成されて前カバー部材５３を固定的に保持する保持部５６とから構成されている。そして、支持部５５と保持部５６とを連結する連結部５７は、支持部５５の周囲に存在し、支持部５５の周囲に渡って平板部５１との間の距離Ｌは、略同一距離に形成されている。尚、支持部５５は円筒状である必要はなく、例えば、断面四角形状等の筒状であればよい。
【００３７】
また、操作ハンドル保持部５２の内部において、可変抵抗器５０が、図示しない固定壁により固定されている。かかる可変抵抗器５０は前カバー部材５３側に突出する回転可能な軸５８を有し、可変抵抗器５０からは平板部５１側に導出された信号線５９Ａが設けられている。ここに、可変抵抗器５０は、軸５８の回転量に基づき抵抗値が変化し、このように変化された抵抗値の信号が信号線５９Ａを介して前記駆動回路部６Ｂのモータ駆動回路３０Ａ（図６参照）に入力されるものである。
また、可変抵抗器５０の金属製等の導電性の鍔部５０Ａの裏側には第１タッチ配線５９Ｂが半田付け等により接続されている。そして、この第１タッチ配線５９Ｂの他端は、駆動回路部６Ｂの接触検出回路３０Ｂ（図６参照）に接続されている。また、回転部材５４の外周側表面部及び前後の表面部にはメッキ処理を施すことによって導電性の薄膜が形成されている。そして、可変抵抗器５０の軸５８は、金属製ワッシャ５８Ａを挿通後、回転部材５４の裏側表面部のほぼ中央部に形成される貫通孔に嵌挿されている。これにより、回転部材５４の遊技者の触れる面は、該回転部材５４の表面部に形成される導電性薄膜、金属製ワッシャ、及び鍔部５０Ａを介してタッチ配線５９Ｂと導通されている。
【００３８】
また、後述のように灰皿取付部７Ａに取り付けられる第２タッチ配線７Ｂは、平板部５１の裏面に沿って該操作ハンドル保持部５２の裏面側まで引き回されて、第１タッチ配線５９Ｂと共に、駆動回路部６Ｂの接触検出回路３０Ｂに接続される。
【００３９】
更に、前カバー部材５３における内部球面の略頂部付近から半径方向内側に支持軸６０が突出されて一体に形成されている。また、この前カバー部材５３の表面部はメッキ処理を施すことによって導電性の薄膜が形成されている。
【００４０】
また、回転部材５４は、その外周に、手の指の長さ等に合致させるとともに指を引っ掛けるための引掛部５４Ａが形成されており、また、回転部材５４の略中央位置からは、円筒部６１が前カバー部材５３側に向かって突出して形成されている。ここに、円筒部６１は、回転部材５４に対して直角方向に突出されている。また、円筒部６１の内部には、前カバー部材５３の支持軸６０が回転可能に挿嵌されており、これにより回転部材５４は、前カバー部材５３に回転可能に支持されるものである。
【００４１】
回転部材５４には、前記した可変抵抗器５０の軸５８が固定されており、従って、回転部材５４が回転されると軸５８も回転され、これにより回転部材５４の回転量に基づき前記したようにパチンコ球の発射勢を強めたり、弱めたりしてパチンコ球の発射勢を加減することが可能となるものである。また、遊技者が前カバー部材５３の表側表面部に触れている場合には、該前カバー部材５３の表面部に形成された導電性薄膜、回転部材５４の円筒部６１に形成された導電性薄膜、金属製ワッシャ、及び鍔部５０Ａを介して第１タッチ配線５９Ｂと導通されている。
【００４２】
また、回転部材５４と前カバー部材５３との間には、戻しコイルバネ６３が配置されている。即ち、図４に示すように、戻しコイルバネ６３の一端は、回転部材５４に固定されており、また、他端は、前カバー部材５３の支持軸６０等に固定されている。かかる戻しコイルバネ６３は、回転部材５４を非操作位置（回転操作されていない位置）に向かって常時付勢しており、回転部材５４が回転された後に回転部材５４から指が離されると、その捻り弾性力に基づき回転部材５４を非操作位置まで戻す作用を行う。
【００４３】
前記のように構成された操作ハンドル６を操作する場合は、遊技者が回転部材５４及び前カバー部材５３に触れているため、第１タッチ配線５９Ｂ及び接触検出回路３０Ｂ（図６参照）を介して発射モータ２９が駆動可能な状態になり、回転部材５４の引掛部５４Ａに指を引っかけ、戻しコイルバネ６３の弾性力に抗して回転部材５４を時計方向に回転することにより、パチンコ球の発射勢が調整される。尚、回転部材５４から指を離すと、回転部材５４は、戻しコイルバネ６３の捻り弾性力により元の非操作位置まで反時計方向に回転される。
【００４４】
また、パチンコホールにおいてパチンコ機１、特に、操作ハンドル６及びその周辺部分の清掃を行う場合、操作ハンドル保持部５２を構成する支持部５５と保持部５６との連結部５７は、支持部５５の周囲に渡って平板部５１から一定の距離Ｌだけ離間されているので、雑巾等の清掃具を支持部５５の周囲に十分入り込ませることができる。この結果、支持部５５の周囲の全体に渡って均一に且つ容易に清掃することができる。
【００４５】
次に、下部受け皿５の左側下方に設けられる灰皿取付部７Ａの概略構造について図５に基づいて説明する。図５は第１実施形態に係るパチンコ機１の灰皿取付部７Ａ及びその取付部を模式的に示す側面から見た要部拡大部分断面図である。
図５に示すように、灰皿取付部７Ａは、パチンコ機１の前面の平板部５１に４個のビス７１によって裏側からビス止めによって固定されている。
ここに、灰皿取付部７Ａは、平板部５１の前面側に当接する略円筒状の支持部７２と、この支持部７２の前端縁部から外側方向に延出される略半球状の保持部７３と、この保持部７３の外側端縁部の周囲から操作ハンドル６の回転部材５４と同じ幅寸法で略直角に外側方向に延出されて、該回転部材５４の外径とほぼ同じ外径に形成される略円環状の押え部７４とから構成されている。また、押え部７４の頂点部（最上端部）には、操作ハンドル６の回転部材５４の頂点部に形成された引掛部５４Ａとほぼ同じ形状の凹部７５が形成されている。更に、この押え部７４の外周側表面部、前後の表面部、及び内周側表面部にはメッキ処理を施すことによって導電性の薄膜が形成されている。従って、押え部７４の外観形状は、操作ハンドル６の回転部材５４の外観形状とほぼ同じ形状に構成されている。
【００４６】
また、押え部７４の凹部７５に対向する内側面には、第２タッチ配線７Ｂの一端が半田付け等により接続される金属製の連結板７６がビス７７で止着されている。従って、押え部７４の遊技者の触れる面は、該押え部７４の表面部に形成される導電性薄膜、ビス７７、及び連結板７６を介して第２タッチ配線７Ｂと導通されている。尚、この第２タッチ配線７Ｂの他端は、駆動回路部６Ｂの接触検出回路３０Ｂに接続されている。
【００４７】
また、灰皿取付部材７４の前方側（遊技者側）開口部には、略半球状の灰皿７が該開口部内で上下方向に回転可能なように軸支されている。また、平板部５１の前面には略円柱状の回転止め部材７８が突き出して形成され、灰皿７が下側方向に回転して、略水平状態になった時にこの回転止め部材７８に当接するように構成されている。また、灰皿７の表面部はメッキ処理を施すことによって導電性の薄膜が形成され、該灰皿７の表面部は、押え部７４の内周面に形成される導電性薄膜、ビス７７、及び連結板７６を介して第２タッチ配線７Ｂと導通されている。
これにより、上記のように構成された操作ハンドル６を操作する場合に、遊技者が灰皿取付部７Ａの押え部７４や灰皿７に触れていれば、第２タッチ配線７Ｂ、接触検出回路３０Ｂ、及びモータ駆動回路３０Ａを介して発射モータ２９が駆動可能な状態になり、回転部材５４を時計方向に回転することにより、パチンコ球は発射勢を調整されつつ発射される。
【００４８】
次に、上記のように構成されたパチンコ機１のパチンコ球の発射勢の調整等に係る制御システムの構成について図６に基づいて説明する。図６は第１実施形態に係るパチンコ機１のパチンコ球の発射勢の調整等に係る制御システムの構成を示すブロック図である。
図６に示すように、パチンコ機１のパチンコ球の発射勢の調整等に係る制御システム８１は、パチンコ機１の遊技動作などを制御する主基板４０、発光ＬＥＤ８や遊技盤２上の電飾ランプＷ１等を制御するランプ制御基板４２、外部スピーカ４ａ等を制御する音制御基板４４、ＬＣＤ表示器４ｂの表示画像等を制御する表示制御基板４６、及び賞球払い出し等を制御する賞球制御基板４７等から構成され、各基板４０、４２、４４、４６、４７は相互に配線により接続されている。
【００４９】
また、表示制御基板４６には、ＬＣＤ表示器４６が配線により接続され、主基板４０からの指令により所定の画像データが該表示制御回路４６を介してＬＣＤ表示器４６に出力される。また、音制御基板４４には、一対のスピーカ４ａと音量調整用操作部材１１とが配線により接続され、主基板４０からの指令により、該音量調整用操作部材１１を介して指示された音量で所定の音楽演奏等が該音楽制御基板４４を介して出力される。また、ランプ制御基板４２には、発光ＬＥＤ８や遊技盤２上の電飾ランプＷ１が配線により接続され、主基板４０からの指令により所定の発光モードで点灯駆動制御される。
【００５０】
また、賞球制御基板４７には、賞球ケース３６内に配置される確認スイッチ３６Ａと払出ソレノイド３６Ｂとが配線により接続され、主基板４０からの払出指令により所定個数の賞球が払い出される。また、この賞球基板４７には、モーター駆動回路部６Ｂ内のモータ駆動回路３０Ａが配線により接続されている。そして、賞球制御基板４７に配線により接続される不図示の下部受け皿満タンスイッチからオン信号が入力された場合には、この賞球制御基板４７からモータ駆動回路３０Ａに発射モータ２９の停止指令が出力される。
【００５１】
また、駆動回路部６Ｂには、モータ駆動回路３０Ａと該モータ駆動回路３０Ａに電気的に接続される接触検出回路３０Ｂとが配置されている。また、このモータ駆動回路３０Ａには、信号線５９Ａを介して可変抵抗器５０が接続されると共に、発射モータ２９が接続されている。
一方、接触検出回路３０Ｂには、第１タッチ配線５９Ｂを介して回転部材５４が電気的に接続されると共に、第２タッチ配線７Ｂを介して押え部７４が電気的に接続されている。そして、この接触検出回路３０Ｂは、回転部材５４又は押え部７４に遊技者が触れることによる静電容量等の変化を検出して、該静電容量等の変化が設定値以上であれば遊技者が触れているものと判定し、オン信号を出力し、該静電容量等の変化が設定値より小さい場合はオフ信号を出力するものである。従って、回転部材５４又は押え部７４に遊技者が触れていない場合には、オフ信号が出力されている。
【００５２】
そして、モータ駆動回路３０Ａは、接触検出回路３０Ｂからオン信号が入力されている場合には、可変抵抗器５０における抵抗値の変化を示す信号が入力された際に、その抵抗値変化に応じて発射モータ２９への供給電力を調整し、パチンコ球の発射勢を強めたり、弱めたりしてパチンコ球の発射勢の加減する。これにより、遊技者が操作ハンドル６と灰皿取付部７Ａの押え部７４とのいずれかに触れている場合には、操作ハンドル６の回転部材５４の回動操作により、パチンコ球の発射勢が調整される。他方、このモータ駆動回路３０Ａは、接触検出回路３０Ｂからオフ信号が入力されている場合、又は賞球制御基板４７から発射モータ２９の停止信号が入力されている場合には、発射モータ２９を停止させるように構成されている。これにより、遊技者が操作ハンドル６と灰皿取付部７Ａの押え部７４とのいずれにも触れていない場合、又は下部受け皿５が満杯になった場合には、パチンコ球は発射されない。
【００５３】
ここで、発射装置ユニット４９は、発射装置として機能する。また、回転部材５４、戻しコイルバネ６３、可変抵抗器５０、及び駆動回路部６Ａは、発射力調整手段を構成する。また、回転部材５４の表面部に形成された導電性薄膜、前カバー部材５３の表面部に形成された導電性薄膜、回転部材５４の円筒部６１に形成された導電性薄膜、金属製ワッシャ、可変抵抗器５０の鍔部５０Ａ、第１タッチ配線５９Ｂ、灰皿７の表面部に形成される導電性薄膜、押え部７４の表面部に形成される導電性薄膜、ビス７７、連結板７６、第２タッチ配線７Ｂ、及び駆動回路部６Ｂは、接触検出手段を構成する。また、灰皿取付部材７Ａと灰皿７とは、所定部材を構成する。また、モータ駆動回路３０Ａは、制御手段として機能する。また、操作ハンドル６は、回動操作部材として機能する。
【００５４】
以上説明した通り第１実施形態に係るパチンコ機１では、回転部材５４の表面部に形成された導電性薄膜、前カバー部材５３の表面部に形成された導電性薄膜、回転部材５４の円筒部６１に形成された導電性薄膜、金属製ワッシャ、可変抵抗器５０の鍔部５０Ａ、及び第１タッチ配線５９Ｂは導通されると共に、この第１タッチ配線５９Ｂは駆動回路部６Ｂの接触検出回路３０Ｂに接続されている。また、灰皿７の表面部に形成される導電性薄膜、灰皿取付部７Ａの押え部７４の表面部に形成される導電性薄膜、ビス７７、連結板７６、及び第２タッチ配線７Ｂは導通されると共に、この第２タッチ配線７Ｂも駆動回路部６Ｂの接触検出回路３０Ｂに接続されている。そして、駆動回路部６Ｂのモータ駆動回路３０Ａは、接触検出回路３０Ｂを介して遊技者が触れていることを検出した場合には、回転部材５４に軸５８が接続される可変抵抗器５０の抵抗値の変化に従って、発射装置６Ａの発射モータ２９を駆動制御する。
【００５５】
したがって、遊技者がパチンコ球の発射勢を調整する操作ハンドル６の回転部材５４か前カバー部材５３、又は灰皿取付部７Ａか灰皿７の少なくともいずれかに触れている場合に限り、該操作ハンドル６の調整に応じてパチンコ球の発射勢が調整されて弾発されるため、操作ハンドル６に触れている遊技者の右手に絆創膏等が貼られているために、接触検出回路３０Ｂを介して遊技者が操作ハンドル６に触れていることが検出されない場合にも、遊技者は絆創膏等が貼られていない左手で灰皿取付部７Ａの押え部７４に触れることにより接触検出回路３０Ｂを介して遊技者が灰皿取付部７Ａの押え部７４に触れていることが確実に検出されて発射モータ２９が駆動制御されるため、遊技者は遊技を続行することができる。
また、灰皿取付部７Ａ及び灰皿７は、パチンコ機１の左右方向の中心線に対して操作ハンドル６のほぼ対称な位置に設けられるため、遊技者は座った状態で該操作ハンドル６や灰皿取付部７Ｂ等に楽に触れることができ、ゲームの興趣を損なわずに長時間遊技を続けることができる。
更に、灰皿取付部７Ｂの押え部７４の外部から観察できる形状は、操作ハンドル６の回転部材５４の形状と略同一形状又は似た形状であるため、遊技者は、該灰皿取付部７Ａの押え部７４に触れていることが検出されて発射装置が駆動制御される構成になっていることを容易に認識することができる。
【００５６】
次に、第２実施形態に係るパチンコ機について説明する。第２実施形態に係るパチンコ機の概略構成及び制御回路構成は、第１実施形態に係るパチンコ機１とほぼ同じ構成である。また、各種制御処理も第１実施形態に係るパチンコ機１とほぼ同じ制御処理である。
但し、第２実施形態に係るパチンコ機は、駆動回路部６Ｂの構成が第１実施形態に係るパチンコ機１と異なっている。
【００５７】
ここで、第２実施形態に係る駆動回路部の概略構成について図７に基づいて説明する。図７は第２実施形態に係るパチンコ機のパチンコ球の発射勢の調整等に係る制御システムの構成を示すブロック図である。尚、図７において上記第１実施形態に係る制御システム８１と同一符号は、該制御システム８１と同一あるいは相当部分を示すものである。
図７に示すように、駆動回路部８２には、モータ駆動回路８５と該モータ駆動回路８５に電気的に接続される第１検出回路８３と第２検出回路８４とが配置されている。また、このモータ駆動回路８５には、信号線５９Ａを介して可変抵抗器５０が接続されると共に、発射モータ２９が接続されている。
一方、第１検出回路８３には、第１タッチ配線５９Ｂを介して回転部材５４が電気的に接続されている。また、第２検出回路８４には、第２タッチ配線７Ｂを介して押え部７４が電気的に接続されている。そして、第１検出回路８３は、回転部材５４に遊技者が触れることによる静電容量等の変化を検出して、該静電容量等の変化が設定値以上であれば遊技者が触れているものと判定し、オン信号を出力し、該静電容量等の変化が設定値より小さい場合はオフ信号を出力するものである。従って、回転部材５４に遊技者が触れていない場合には、オフ信号が出力されている。また、第２検出回路８４は、押え部７４に遊技者が触れることによる静電容量等の変化を検出して、該静電容量等の変化が設定値以上であれば遊技者が触れているものと判定し、オン信号を出力し、該静電容量等の変化が設定値より小さい場合はオフ信号を出力するものである。従って、押え部７４に遊技者が触れていない場合には、オフ信号が出力されている。
【００５８】
そして、モータ駆動回路８５は、第１検出回路８３と第２検出回路８４とのうち少なくとも一方からオン信号が入力されている場合には、可変抵抗器５０から出力される信号に基づいて発射モータ２９を駆動する。これにより、遊技者が操作ハンドル６と灰皿取付部７Ａの押え部７４とのいずれかに触れている場合には、操作ハンドル６の回転部材５４の回動操作により、パチンコ球の発射勢が調整される。他方、このモータ駆動回路８５は、第１検出回路８３及び第２検出回路８４の両方からオフ信号が入力されている場合、又は賞球制御基板４７から発射モータ２９の停止信号が入力されている場合には、発射モータ２９を停止させるように構成されている。これにより、遊技者が操作ハンドル６と灰皿取付部７Ａの押え部７４とのいずれにも触れていない場合、又は下部受け皿５が満杯になった場合には、パチンコ球は発射されない。
【００５９】
ここで、発射装置ユニット４９は、発射装置として機能する。また、回転部材５４、戻しコイルバネ６３、可変抵抗器５０、及び駆動回路部６Ａは、発射力調整手段を構成する。また、回転部材５４の表面部に形成された導電性薄膜、前カバー部材５３の表面部に形成された導電性薄膜、回転部材５４の円筒部６１に形成された導電性薄膜、金属製ワッシャ、可変抵抗器５０の鍔部５０Ａ、第１タッチ配線５９Ｂ、及び第１検出回路は、第１検出手段を構成する。また、灰皿７の表面部に形成される導電性薄膜、押え部７４の表面部に形成される導電性薄膜、ビス７７、連結板７６、第２タッチ配線７Ｂ、及び第２検出回路８４は、第２検出手段を構成する。また、灰皿取付部材７Ａと灰皿７とは、所定部材を構成する。また、モータ駆動回路８５は、制御手段として機能する。また、操作ハンドル６は、回動操作部材として機能する。
【００６０】
以上説明した通り第２実施形態に係るパチンコ機では、回転部材５４の表面部に形成された導電性薄膜、前カバー部材５３の表面部に形成された導電性薄膜、回転部材５４の円筒部６１に形成された導電性薄膜、金属製ワッシャ、可変抵抗器５０の鍔部５０Ａ、及び第１タッチ配線５９Ｂは導通されると共に、この第１タッチ配線５９Ｂは駆動回路部８２の第１検出回路８３に接続されている。また、灰皿７の表面部に形成される導電性薄膜、灰皿取付部７Ａの押え部７４の表面部に形成される導電性薄膜、ビス７７、連結板７６、及び第２タッチ配線７Ｂは導通されると共に、この第２タッチ配線７Ｂは駆動回路部８２の第２検出回路８４に接続されている。そして、駆動回路部８２のモータ駆動回路８５は、第１検出回路８３又は第２検出回路８４の少なくとも一方を介して遊技者が触れていることを検出した場合には、回転部材５４に軸５８が接続される可変抵抗器５０の抵抗値の変化に従って、発射装置６Ａの発射モータ２９を駆動制御する。
【００６１】
したがって、遊技者がパチンコ球の発射勢を調整する操作ハンドル６の回転部材５４か前カバー部材５３、又は灰皿取付部７Ａか灰皿７の少なくともいずれかに触れている場合に限り、該操作ハンドル６の調整に応じてパチンコ球の発射勢が調整されて弾発されるため、操作ハンドル６に触れている遊技者の右手に絆創膏等が貼られているために、第１検出回路８３を介して遊技者が操作ハンドル６に触れていることが検出されない場合にも、遊技者は絆創膏等が貼られていない左手で灰皿取付部７Ａの押え部７４に触れることにより第２検出回路８４を介して遊技者が灰皿取付部７Ａの押え部７４に触れていることが確実に検出されて発射モータ２９が駆動制御されるため、遊技者は遊技を続行することができる。
また、灰皿取付部７Ａ及び灰皿７は、パチンコ機１の左右方向の中心線に対して操作ハンドル６のほぼ対称な位置に設けられるため、遊技者は座った状態で該操作ハンドル６や灰皿取付部７Ｂ等に楽に触れることができ、ゲームの興趣を損なわずに長時間遊技を続けることができる。
更に、灰皿取付部７Ｂの押え部７４の外部から観察できる形状は、操作ハンドル６の回転部材５４の形状と略同一形状又は似た形状であるため、遊技者は、該灰皿取付部７Ａの押え部７４に触れていることが検出されて発射装置が駆動制御される構成になっていることを容易に認識することができる。
【００６２】
尚、本発明は、前記第１及び第２実施形態に限定されるものではなく、本発明の要旨を逸脱しない範囲内で種々の改良、変形が可能であることは勿論である。
例えば、前記実施形態では、可変抵抗器５０を使用しているが、ロータリー式光エンコーダを使用してもよい。また、灰皿取付部７Ａに第２タッチ配線７Ｂの一端を接続したが、音量調整用操作部材１１や球抜きダイヤルレバー５ａ等に第２タッチ配線７Ｂの一端を接続してもよい。
【００６３】
【発明の効果】
以上説明した通り請求項１の遊技機では、遊技球の発射勢を調整するハンドルの回転部材と、遊技機の遊技者側の前面部に遊技者が触れることができるように設けられる灰皿取付部の押え部とが設けられている。そして、前記操作ハンドルの回転部材、または、前記灰皿取付部または灰皿の少なくとも一方を遊技者が触っているときに、前記操作ハンドルの回転部材の調整に応じて前記発射装置が駆動され、遊技球を発射することができる。
これにより、操作ハンドルに触れている遊技者の手に絆創膏等が巻かれているために、当該操作ハンドルに発射力調整手段に触れていることが検出されない場合にも、遊技者は絆創膏等が巻かれていない手で灰皿取付部または灰皿の少なくとも一方に触れることにより、遊技者は遊技を行うことができる。
【００６４】
【００６５】
【００６６】
【００６７】
【図面の簡単な説明】
【図１】  第１実施形態に係るパチンコ機全体を示した斜視図である。
【図２】  第１実施形態に係るパチンコ機全体を示した正面図である。
【図３】  第１実施形態に係るパチンコ機全体を示した背面斜視図である。
【図４】  第１実施形態に係るパチンコ機の操作ハンドル及びその取付部を模式的に示す上側方向から見た要部拡大部分断面図である。
【図５】  第１実施形態に係るパチンコ機の灰皿取付部及びその取付部を模式的に示す側面から見た要部拡大部分断面図である。
【図６】  第１実施形態に係るパチンコ機のパチンコ球の発射勢の調整等に係る制御システムの構成を示すブロック図である。
【図７】  第２実施形態に係るパチンコ機のパチンコ球の発射勢の調整等に係る制御システムの構成を示すブロック図である。
【符号の説明】
１            パチンコ機
６            操作ハンドル
６Ａ          発射装置
６Ｂ、８２    駆動回路部
７            灰皿
７Ａ          灰皿取付部
７Ｂ          第２タッチ配線
３０Ａ、８５  モータ駆動回路
３０Ｂ        接触検出回路
４９          発射装置ユニット
５９Ｂ        第１タッチ配線
８３          第１検出回路
８４          第２検出回路
【図１】
0004189833.tif 000002
【図２】
0004189833.tif 000003
【図３】
0004189833.tif 000004
【図４】
0004189833.tif 000005
【図５】
0004189833.tif 000006
【図６】
0004189833.tif 000007
【図７】
0004189833.tif 000008